【手続補正書】
【提出日】平成16年2月27日(2004.2.27)
【手続補正１】
【補正対象書類名】明細書
【補正対象項目名】全文
【補正方法】変更
【補正の内容】
【発明の名称】コンバイン等の操作装置
【特許請求の範囲】
【請求項１】操縦者が搭乗して各種操作を行う操縦席１５と、該操縦席１５の左側で前後方向には、各種始動と停止を行なう始動手段と、各種操作の開始及び停止を操作する操作レバー等を装着するクラッチパネル１９において、該クラッチパネル１９の上側面３６の前後方向は前方下部へ向けて所定角度で傾斜させると共に、前記始動手段の取付面２５の上下方向は右方下部へ向けて所定角度で傾斜させて設けたことを特徴とするコンバイン等の操作装置。
【発明の詳細な説明】
【０００１】
【発明の属する技術分野】
この発明は、コンバイン等の操作装置に関する。
【０００２】
【従来の技術】
操縦者が搭乗して各種操作を行う操縦席の左側で前後方向には、各種始動と停止を行なう各始動手段と、各種操作の開始及び停止を操作する操作レバー等を装着するクラッチパネルの上側面は平面に形成されている。これらの各始動手段を操作し、各操作レバーを操作して、コンバインを圃場内で走行させ、立毛穀稈を刈取りすると共に、刈取穀稈を脱穀して選別し、選別済み穀稈を貯留する。
【０００３】
【発明が解決しようとする課題】
クラッチパネルの各始動手段、及び各操作レバー等を装着する上側面が平面に形成されていることにより、コンバイン作業中に雨が降り出すと、このクラッチパネルの上側面に雨水が溜り、この雨水の溜りが原因で不具合が発生していたが、この発明により、この問題を解消しようとするものである。
【０００４】
【課題を解決するための手段】
この発明は、操縦者が搭乗して各種操作を行う操縦席１５と、該操縦席１５の左側で前後方向には、各種始動と停止を行なう始動手段と、各種操作の開始及び停止を操作する操作レバー等を装着するクラッチパネル１９において、該クラッチパネル１９の上側面３６の前後方向は前方下部へ向けて所定角度で傾斜させると共に、前記始動手段の取付面２５の上下方向は右方下部へ向けて所定角度で傾斜させて設けたことを特徴とするコンバイン等の操作装置の構成とする。
【０００５】
【発明の作用】
操縦者が搭乗して各種操作を行う操縦席１５の左側で前後方向には、各始動手段と、各種作業を開始、及び停止操作する操作レバー等を装着するクラッチパネル１９を設けている。各始動手段の取付面２５の上下方向は、右方下部へ向けて所定角度で傾斜させさせている。
【０００６】
又、前記クラッチパネル１９の上側面３６の前後方向は、前方下部へ所定角度で傾斜させている。
【０００７】
前記各始動手段を操作し、更に各操作レバーを操作してコンバインを圃場内で走行させ、立毛穀稈を刈取りすると共に、刈取穀稈を脱穀して選別し、選別済み穀粒を貯留する。
【０００８】
【発明の効果】
前記各始動手段の取付面２５と、操作レバー等を装着するクラッチパネル１９の上側面３６とは、平面に形成せずに、傾斜させたことにより、コンバイン作業中に雨水が溜ることがなくなり、このために、雨水の溜りによる不具合の発生を防止できる。
【０００９】
【実施例】
コンバイン１の車台４に載置した脱穀機２、刈取機３、及び穀粒貯留タンク５等について図示して説明する。
前記コンバイン１の車台４の下部には、土壌面を走行する左右一対のクローラ６を張設した走行装置７を配設し、該車台４上部には、フィードチェン８に挾持されて搬送される刈取穀稈を脱穀し、この脱穀された穀粒を選別回収して一時貯留する穀粒貯留タンク５を設けた脱穀機２を載置している。
【００１０】
前記脱穀機２の前部には、前端位置から立毛穀稈を分草する分草体９と、この分草された穀稈を引き起す引起装置１０と、引き起された穀稈を刈り取る刈刃装置１１と、この刈り取られた穀稈を後方へ移送して、フィードチェン８へ受渡しする穀稈掻込搬送装置１２等を設けた刈取機３を、油圧駆動による伸縮シリンダ１３により、土壌面に対して昇降自在に作用させる構成としている。
【００１１】
前記脱穀機２の一側には、コンバン１の操作制御を行う操作装置１４と、この操作装置１４の後側で右側より、操縦者が搭乗して各種操作を行う操縦席１５とを設け、この操縦席１５の下部には、エンジン１６を搭載すると共に、後方には、穀粒貯留タンク５を設置する。これら走行装置７、脱穀機２、刈取機３、エンジン１６等によって、該コンバイン１の機体１７を構成させている。
【００１２】
前記刈取機３の穀稈掻込搬送装置１２によって形成される穀稈搬送経路中には、刈り取られる穀稈に接触作用することにより、脱穀機２へ穀稈供給の有無を検出する穀稈センサ１７ｂを設けると共に、車台４の前端部に装架された走行ミッション１８の伝動経路中には、その出力回転数に基づいて走行車速を検出する車速センサ１７ａを設けた構成としている。
【００１３】
前記操作装置１４は、操縦席１５の左側で前後方向に設け、操縦者が操作する上下方向の位置は、操縦者が該操縦席１５に座った位置から操作可能な構成であり、又、この操作装置１４は、図１〜図６で示す如く横側のクラッチパネル１９部、横側前部の液晶形式などによって表示する表示手段２０、及び表示計器２１等よりなる表示装置２２、前側のクラッチパネル２３部、及び該表示装置２２へ内装される制御装置２４等よりなる構成である。
【００１４】
前記横側のクラッチパネル１９の取付面２５は、図１，図２，図４、及び図５で示す如く左側部に位置させ、この取付面２５の上下方向は、上端部から下部へ向けて所定の角度α１に傾斜させて、雨水が溜らない構成である。この傾斜させた取付面２５の上下方向略中央部には、後部より順次車速センサ１７ａ、及び穀稈センサ１７ｂ等の不具合の有無をチェックするときに、ＯＮ−ＯＦＦ操作するＯＮ−ＯＦＦスイッチ方式の始動手段２６ｃを設けている。
【００１５】
前記始動手段２６ｃの前側には、車速センサ１７ａをＯＮ−ＯＦＦ操作するＯＮ−ＯＦＦスイッチ方式の始動手段２６ａを設け、この始動手段２６ａの後側には、車速の遅、標準、及び早い等の車速を設定する設定手段２７ａを設けている。
前記始動手段２６ａの前側には、穀稈センサ１７ｂをＯＮ−ＯＦＦ操作するＯＮ−ＯＦＦスイッチ方向の始動手段２６ｂを設けている。
【００１６】
前記始動手段２６ｂの前側には、車台４の水平制御を行うときに、ＯＮ−ＯＦＦ操作するＯＮ−ＯＦＦスイッチ方式の始動手段２６ｄを設け、この始動手段２６ｄの後側には、車台４を左側、又は右側への傾斜を設定する設定手段２７ｂを設けている。
前記始動手段２６ｄの前側には、選別性能制御を行うときに、ＯＮ−ＯＦＦ操作するＯＮ−ＯＦＦスイッチ方式の始動手段２６ｅを設け、この始動手段２６ｅの後側には、送風機２８の開閉弁２９を開閉制御して、この送風機２８で起風する風量を弱、又は強に設定する設定手段２７ｃを設け、該始動手段２６ｅの前側には、揺動選別装置３０のシーブ３１の開閉を開、又は閉に設定する設定手段２７ｄを設けている。
【００１７】
前記始動手段２６ｅの前側には、刈取りする穀稈の刈高さ制御を行うときに、ＯＮ−ＯＦＦ操作するＯＮ−ＯＦＦスイッチ方式の始動手段２６ｆを設け、この始動手段２６ｆの前側には、刈高さの低い、又は高いを設定する設定手段２７ｅを設け、この始動手段２６ｆの後側には、穀稈受３２を入、又は切を設定する設定手段２７ｆを設けている。
【００１８】
前記始動手段２６ｆの前側には、刈取機２の自動上昇を行うときに、ＯＮ−ＯＦＦ操作するＯＮ−ＯＦＦスイッチ方式の始動手段２６ｈを設けている。
前記クラッチパネル１９の取付面２５上側には、図１で示す如く、樹脂材等で透明部材よりなり、開閉軸３５ａを上部に設けて開閉自在な開閉カバー３５を上面部を円形状に形成して設けている。又、各始動手段２６ａ，２６ｂ，２６ｃ，２６ｄ，２６ｅ，２６ｆ，２６ｈは、照光方式でＯＮ−ＯＦＦスイッチ方式としている。
【００１９】
これにより、取付面２５を傾斜させたことにより、操作装置１４の幅を狭くすることができ、刈取機３の幅を狭くする必要がなくなり、性能向上を図ることができる。開閉カバー３５を設けたことにより、防水性が向上し、更に開閉支点を上部にしたことにより、振動等により開くのを防止でき、又照光方式としたことにより、該開閉カバー３５の外側より、ＯＮ−ＯＦＦ確認ができて便利である。
【００２０】
前記横側のクラッチパネル１９の取付面２５の右側には、図１〜図４で示す如く刈取作業、及び脱穀作業を開始、及び停止操作する刈取用の操作レバー３３ａの操作溝３４ａ、及び脱穀用の操作レバー３３ｂの操作溝３４ｂを設け、これら操作溝３４ａ、及び操作溝３４ｂの前部左側には、主変速用の操作レバー３３ｃの操作溝３４ｃを設け、前部右側には、副変速用の操作レバー３３ｄの操作溝３４ｄを設けている。更に操作溝３４ａの右側には、旋回用の操作レバー３３ｅの操作溝３４ｅを設けている。
【００２１】
前記横側のクラッチパネル１９の各操作溝３４ａ，３４ｂ，３４ｃ，３４ｄ，３４ｅ部の上側面３６は、図１、及び図３で示す如く前後方向は、後方上部から前方下部へ向けて所定の角度α２で傾斜させると共に、左右方向は、左方上部から右方下部へ向けて所定の角度α３で傾斜させて、雨水が溜らない構成としている。
【００２２】
前記横側のクラッチパネル１９の後方の上側面３６ａ部は、図３、及び図４で示す如く後方上部から前方下部へ向けて所定の角度α４で傾斜させて、雨水が溜らない構成である。この傾斜したクラッチパネル１９部には、穀粒貯留タンク５に設けた排出支持筒３７ａ上側の排出オーガ３７ｂを自動停止させるＯＮ−ＯＦＦ操作するＯＮ−ＯＦＦスイッチ方式の始動手段３８ａ、該排出オーガ３７ｂを収納、又は張出操作を設定する設定手段３９ａ、該排出オーガ３７ｂの上げ、又は下げ操作を設定する設定手段３９ｂ、及び排出位置をＯＮ−ＯＦＦ操作するＯＮ−ＯＦＦスイッチ方式の始動手段３８ｂを設けている。
【００２３】
又、前記始動手段３８ｂ、及び設定手段３９ａの右側には、結束機、又はカッタ装置へ排稈を切換える排稈切換用の切換レバー４０ａの操作溝４１ａ、及び籾排出を切換える籾切換用の切換レバー４０ｂの操作溝４１ｂを設けている。
前記横側のクラッチパネル１９の副変速用の操作レバー３３ｄの操作溝３４ｄの前方右側部の該クラッチパネル１９のスロットルレバー４２の操作溝４３部の上側面４４は、図３で示す如く前後方向は、後方上部から前方下部へ向けて所定の角度α５で傾斜させると共に、左右方向は、左方上部から右方下部へ向けて所定の角度で傾斜させて、雨水が溜らない構成としている。
【００２４】
前記横側のクラッチパネル１９の表示装置２２装着部の後側面４６は、図２、及び図６で示す如く前後方向は、前方上部から後方下部へ向けて所定の角度α６で傾斜させて、雨水が溜らない構成としている。
前記表示装置２２は、図２、及び図６で示す如くボデー４５ａの一側面には、基板４５ｂを設け、この基板４５ｂには、外装カバー４５ｃを設け、この外装カバー４５ｃの上下両側、及び左右両側部には、モニタカバー４５ｄを段差を設けて嵌入させると共に、表示画面部４５ｅは、凸形状に形成している。又、装着面４５ｆは、該表示画面部４５ｅ側へ向けて下り傾斜させて、雨水の浸入を防止する構成としている。
【００２５】
これにより、スロットルレバー４２部には、雨水が溜ることがなくなり、又、表示装置２２には、雨水が浸入することがなくなり、不具合の発生を防止することができる。
前記前側のクラッチパネル２３の上側面４７部は、図４で示す如く前方上部から後方下部へ向けて所定の角度で傾斜させて、雨水が溜らない構成である。この上側面４７部には、左側より、順次作業中は点灯する作業灯４８ａ、表示を切換える切換手段４９ａ、異常発生により、ブザー警報のときに、警報を停止させるブザー停止手段４９ｂ、注油に切換える切換手段４９ｃ、ウィンカを始動、及び停止操作する始動手段５０ａ、コンバイン１を始動させるときにキーを挿入するキー挿入手段５０ｂ、パワステレバー５１を設けて構成としている。
【００２６】
前記横側のクラッチパネル１９、及び前側のクラッチパネル２３の各端部には、下方へ所定長さ折曲させた折曲部５１を設けた構成としている。
前記操縦席１５は、図１１及び図１２で示す如く前後シリンダ１５ｂにより、前後移動自在な構成であり、この操縦席１５を前端部へ移動させたときに、この操縦席１５の座席１５ａの前端部位置より、主変速用の操作レバー３３ｃの中立位置を、所定距離α１前部に位置させた構成としている。
【００２７】
これにより、操縦者の居住性を向上させると共に、コンバイン１を停止操作させる位置の操作が容易であり、又、安全性を向上させることができる。
前記操縦席１５は、図１３で示す如く前方視界を良好にするために、上下シリンダ１５ｃにより、上下移動自在な構成であり、この操縦席１５を最上部へ移動させたときに、この操縦席１５の座席１５ａ上側面位置より、主変速用の操作レバー３３ｃの上端部位置を、所定距離Ｈ１上部に位置させると共に、パワステレバー５１の上端部位置を、所定距離Ｈ２上部に位置させた構成としている。
【００２８】
これにより、前方視界を良好にするために、操縦席１５を最上部へ移動させても、操作レバー３３ｃ、及びパワステレバー５１共に、上端部位置は、該操縦席１５の座席１５ａより上部に位置していることにより、操作は違和感なしに、通常の操作姿勢で行うことができる。
前記操作装置１４右側には、図１４〜図１９で示する如く軸５２を回動中心として支持杆５３ａ，５３ｂ等で支持された防塵カバー５４は、開閉可能に前後移動自在に、受杆５４ａの両側に設けたローラ５４ｂ，５ｂで支持させている。この防塵カバー５４上側面には、開閉操作を行うときに把手する把手具５５を装着した構成である。該防塵カバー５４を前方へ移動させて、開操作を行ったときに、この防塵カバー５４の該把手具５５位置は、主変速用の操作レバー３３ｃの中立位置より、所定距離α２後方部に位置させて設けた構成としている。
【００２９】
これにより、操作レバー３３ｃが防塵カバー５４から上方へ突出した状態であっても、この操作レバー３３ｃを操作するときに、障害になることなく、又、該防塵カバー５４の開閉操作するときに障害になることなく、開閉操作を容易に行うことができる。
図２０〜図２１で示す如く前記脱穀機２の入口漏下５６の下側前方で、該脱穀機２の前側板５７の前側と、クローラ６上部の車台４の上側とに囲まれた空間部５８には、主変速用の操作レバー（ＨＳＴ）３３ｃ用の油圧オイルを貯留するオイルタンク５９、及びこのオイルタンク５９の横側には、刈取機３の刈刃装置１１、穀稈掻込搬送装置１２のチェン、及び該脱穀機２のフィードチェン８等へ自動注油するオイルを貯留する注油タンク６０を設けた構成としている。
【００３０】
前記車台４右側に設けたエンジン１６を送風ファン５８ｂの起風で冷却する冷却風は、空間部５８へ向けて通風路５８ａとして流れる構成であり、この冷却風は、該エンジン１６の冷却により、所定温度に上昇する構成であり、この所定温度に上昇した熱風が、該空間部５８を通過する構成としている。
これにより、寒冷時期は、油圧用オイル、及び注油用オイルの温度をエンジン１６の熱を利用して短時間で上昇させることにより、（予熱して粘度を下げる）予熱装置を不用としてコスト低減を図ることができるし、又、各オイルの粘度が下がることにより、焼付き現象の発生を防止することができる。
【００３１】
図２４〜図２６で示す如く上下に分割して設けたエンジンカバー６１の右側面は、ラジエータ冷却風の吹込口６１ａとした構成であり、このエンジンカバー６１の該吹込口６１ａ部には、金網６１ｂを装着して設け、この金網１６ｂは、上下方向に複数段に分割して、最下段部６２ｃは、図２６で示す如く平板形状に形成した構成であり、中段部６２ｂ、及び最上段部６２ａは、図２５で示す如く、前後方向に複数列の凹凸形状に形成した構成であり、この最下段部６２ｃより、中段部６２ｂ、及び最上段部６２ａは、所定幅αＡ外方へ突出させた構成としている。
【００３２】
これにより、中段部６２ｂ、及び最上段部６２ａは、凹凸形状にすることにより、金網６１ｂの強度アップと吸気面積の増加を図ることができる。又上部を所定幅外方へ突出させても、立毛穀稈より高位置としたことにより、立毛穀稈が当接することがない。
又、最下段部６２ｃが、凹凸形状であると、コンバイン１作業で、中割りのとき、又は右回り刈取りのときは、立毛穀稈がエンジンカバー６１へ接触しながら通過することにより、穀稈が損傷したり、又、脱粒することがあり、更に塵埃発生の原因になって、吹込口６１ａ部へ塵埃が付着していたが、凹凸形状を平板形状にしたことにより、これらの問題が解消できた。
【００３３】
図２７〜図２９で示す如く、コンバイン１の右側部に載置するエンジンカバー６１部、及び穀粒貯留タンク５部は、クローラ５上側の車台４上側の所定高さの間ＨＡは、該車台４外側部より、所定幅αＢ外側へ突出させ、又、該所定高さの間ＨＡ上側の所定高さの間ＨＢは、該所定幅αＢより、更に所定幅αＣ外方へ突出させた構成としている。
【００３４】
これにより、コンバイン１作業で、中割りのとき、又は右回り刈取りのときは、立毛穀稈がエンジンカバー６１、及び穀粒貯留タンク５へ接触しながら通過することにより、穀稈が損傷したり、又脱粒することがあるが、これを防止するためには、稈長高さ位置までは、できるだけ凹とし、それより上部は、凸にすることにより、該タンク５の強度アップ、及び容量の拡大を図ることができる。
【図面の簡単な説明】
【図１】要部〔（図２の（イ）−（イ）〕の拡大断面図
【図２】要部の拡大平面図
【図３】要部の拡大側面図
【図４】クラッチパネル部の拡大平面図
【図５】クラッチパネルの取付面部の拡大平面図
【図６】図２の（ロ）−（ロ）拡大断面図
【図７】コンバインの右側全体側面図
【図８】コンバインの左側全体側面図
【図９】脱穀機の一部拡大側断面図
【図１０】揺動選別装置部の拡大側面図
【図１１】コンバインの操縦席部の拡大平面図
【図１２】コンバインの操縦席部の拡大側面図
【図１３】コンバインの操縦席部の拡大側面図
【図１４】コンバインの防塵カバー部の拡大側面図
【図１５】コンバインの防塵カバー部の拡大平面図
【図１６】防塵カバーの拡大機構側面図
【図１７】防塵カバーの拡大作用側面図
【図１８】防塵カバーの拡大機構平面図
【図１９】防塵カバーの拡大断面図
【図２０】コンバインの前部の拡大正断面図
【図２１】コンバインの前部の拡大側面図
【図２２】コンバインの前部の拡大側断面図
【図２３】コンバインの前部の拡大正断面図
【図２４】コンバインの前部の拡大断面図
【図２５】図２３の（ハ）−（ハ）拡大断面図
【図２６】図２３の（ニ）−（ニ）拡大断面図
【図２７】コンバインの一部の拡大側面図
【図２８】図２７の（ホ）−（ホ）断面図
【図２９】図２７の（ヘ）−（ヘ）断面図
【符号の説明】
１５…操縦席、１７ａ…車速センサ、１７ｂ…穀稈センサ、２５…取付面、２６ａ…始動手段、２６ｂ…始動手段、２７ａ…設定手段、２７ｂ…設定手段、３３ａ…操作レバー、３３ｂ…操作レバー、３４ａ…操作溝、３４ｂ…操作溝、３６…上側面。